(57)【要約】【課題】  信頼性のある記録／再生が可能な光ディスクの領域形成方法及び光ディスクに情報を記録/再生する方法を提供することを目的とする。【解決手段】  リードイン領域、リードアウト領域、該リードイン領域とリードアウト領域との間にユーザデータを記録/再生可能なデータ領域を含む光ディスクの領域形成方法において、高周波の第１ウォッブルが形成された再生専用領域１０を形成する段階と、前記第１ウォッブルに比べて相対的に低周波であり、前記第１ウォッブルと異なる形態の第２ウォッブルが形成された記録/再生可能領域３０を形成する段階と、前記再生専用領域と記録/再生可能領域との間に配置されたコネクション領域２０を形成する段階とを含めて前記リードイン領域が形成される光ディスクの領域形成方法である。【選択図】        図５Ａ
2008047287.tif 000002
【特許請求の範囲】
【請求項１】
リードイン領域、リードアウト領域、該リードイン領域とリードアウト領域との間にユーザデータを記録/再生可能なデータ領域を含む光ディスクの領域形成方法において、
高周波の第１ウォッブルが形成された再生専用領域を形成する段階と、
前記第１ウォッブルに比べて相対的に低周波であり、前記第１ウォッブルと異なる形態の第２ウォッブルが形成された記録/再生可能領域を形成する段階と、
前記再生専用領域と記録/再生可能領域との間に配置されたコネクション領域を形成する段階とを含めて前記リードイン領域が形成されることを特徴とする光ディスクの領域形成方法。
【請求項２】
前記コネクション領域は、周波数が前記第１ウォッブルの周波数から前記第２ウォッブルの周波数まで順次に減少するように構成されたウォッブルで形成されたことを特徴とする請求項１に記載の光ディスクの領域形成方法。
【請求項３】
前記再生専用領域の最後の物理的アドレスの次に前記記録／再生可能領域の最初の物理的アドレスが連続的につながることを特徴とする請求項１に記載の光ディスクの領域形成方法。
【請求項４】
前記第１ウォッブルが鋸歯状に形成されることを特徴とする請求項１に記載の光ディスクの領域形成方法。
【請求項５】
前記コネクション領域がミラー領域よりなっていることを特徴とする請求項１または請求項４に記載の光ディスクの領域形成方法。
【請求項６】
前記コネクション領域が前記第１ウォッブル及び第２ウォッブルと異なる形態のウォッブルで構成されることを特徴とする請求項１に記載の光ディスクの領域形成方法。
【請求項７】
前記再生専用領域、コネクション領域及び記録／再生可能領域のトラックが同じトラックピッチを有することを特徴とする請求項１に記載の光ディスクの領域形成方法。
【請求項８】
前記コネクション領域が少なくとも一つ以上のトラックで構成されたことを特徴とする請求項７に記載の光ディスクの領域形成方法。
【請求項９】
前記再生専用領域はアドレス情報を示すヘッダフィールドを有し、前記記録／再生可能領域はウォッブリングされたグルーブ全領域にアドレス情報が記録されることを特徴とする請求項１に記載の光ディスクの領域形成方法。
【請求項１０】
前記第１ウォッブルの周波数をｆＨＦ、前記第２ウォッブルの周波数をｆＬＦとする時、次の条件式、
ｆＨＦ＝ｎｆＬＦ（ここで、ｎは２以上の整数）
を満たすことを特徴とする請求項１に記載の光ディスクの領域形成方法。
【請求項１１】
リードイン領域、データ領域及びリードアウト領域を含み、前記リードイン領域は再生専用領域、記録/再生可能領域及び前記再生専用領域と記録/再生可能領域との間に配置されたコネクション領域を含む光ディスクに情報を記録/再生する方法において、
前記再生専用領域から高周波の第１ウォッブルで記録されたディスク関連情報及び記録関連パラメータを再生する段階と、
前記記録/再生可能領域にディスクテストのための情報を前記第１ウォッブルに比べて相対的に低周波であり、前記第１ウォッブルと異なる形態の第２ウォッブルで記録する段階とを含むことを特徴とする光ディスクに情報を記録/再生する方法。
【請求項１２】
前記コネクション領域は、周波数が前記第１ウォッブルの周波数から前記第２ウォッブルの周波数まで順次に減少するように構成されたウォッブルで形成されたことを特徴とする請求項１１に記載の光ディスクに情報を記録/再生する方法。
【請求項１３】
前記再生専用領域の最後の物理的アドレスの次に前記記録／再生可能領域の最初の物理的アドレスが連続的につながることを特徴とする請求項１１に記載の光ディスクに情報を記録/再生する方法。
【請求項１４】
前記第１ウォッブルが鋸歯状に形成されることを特徴とする請求項１１に記載の光ディスクに情報を記録/再生する方法。
【請求項１５】
前記コネクション領域がミラー領域よりなっていることを特徴とする請求項１１に記載の光ディスクに情報を記録/再生する方法。
【請求項１６】
前記コネクション領域が前記第１ウォッブル及び第２ウォッブルと異なる形態のウォッブルで構成されることを特徴とする請求項１１に記載の光ディスクに情報を記録/再生する方法。
【請求項１７】
前記再生専用領域、コネクション領域及び記録／再生可能領域のトラックが同じトラックピッチを有することを特徴とする請求項１１に記載の光ディスクに情報を記録/再生する方法。
【請求項１８】
前記コネクション領域が少なくとも一つ以上のトラックで構成されたことを特徴とする請求項１７に記載の光ディスクに情報を記録/再生する方法。
【請求項１９】
前記再生専用領域はアドレス情報を示すヘッダフィールドを有し、前記記録／再生可能領域はウォッブリングされたグルーブ全領域にアドレス情報が記録されることを特徴とする請求項１１に記載の光ディスクに情報を記録/再生する方法。
【請求項２０】
前記第１ウォッブルの周波数をｆＨＦ、前記第２ウォッブルの周波数をｆＬＦとする時、次の条件式、
ｆＨＦ＝ｎｆＬＦ（ここで、ｎは２以上の整数）
を満たすことを特徴とする請求項１１に記載の光ディスクに情報を記録/再生する方法。
【発明の詳細な説明】
【技術分野】
【０００１】
本発明は、光ディスクの領域形成方法及び光ディスクに情報を記録/再生する方法に関する。
【背景技術】
【０００２】
現在記録、消去及び再生が可能な光ディスクにはＤＶＤ−ＲＡＭ、ＤＶＤ−ＲＷ、ＤＶＤ＋ＲＷ、ＤＶＤ−Ｒなどがある。このようなディスクにおいて、再生専用のデータ、すなわち、ディスクのＩＤ、フォーマットブックのバージョンナンバー、シリアルナンバー、ライティング戦略（ｗｒｉｔｉｎｇ  ｓｔｒａｔｅｇｙ）などのデータは通常ＣＤ−ＲＯＭやＤＶＤ−ＲＯＭでのように変わらないピット形態にディスクの内周領域に位置している。ディスク関連データがピット形態に記録された再生専用領域の次にデータの記録／再生／消去が可能な領域が続く。この時、再生専用領域と記録／再生可能領域との間に物理的な境界をおくためにコネクションゾーンが備わる。
【０００３】
一例に図１に示されたように、日本特開平５−２５８４６９号には、データの再生のみ可能なＡ領域１０３とデータの記録／再生が可能なＢ領域１０５との間に同じデータ密度を得るために等角速度を維持できるようにミラー領域１００が設けられている。前記ミラー領域１００には各セグメントＳＧの先頭にトラッキング情報としてのウォッブリングピットｗｐ１、ｗｐ２が形成されており、アドレスなどの制御情報は記録されていない。
【０００４】
ＤＶＤ−ＲＡＭの場合には、図２のようにリードイン領域内の再生専用領域と記録可能領域との間にコネクションゾーンを規定し、一定区間の半径を何のデータもないミラー領域にしている。これは、ディスク製造時に一つのビームで再生専用データのピットをマスタリングしていて、ウォッブルとヘッダピットを形成するために二つのビームでマスタリングをするためには一定時間の余裕が必要であるからである。またミラー領域を感知することによって記録可能領域が始まるという情報をドライブに提供するためである。
【０００５】
図３には４.７ＧＢ  ＤＶＤ−ＲＡＭ規格に適用されたコネクションゾーンを示している。データがエンボシングで記録された再生専用データゾーンと記録可能なデータゾーンとの間にコネクションゾーンが設定されている。一方、ＤＶＤ＋ＲＷやＤＶＤ−ＲＷ、ＤＶＤ−Ｒでは別途のコネクションゾーンがなく、図４のようにリードイン領域１１０とデータ領域１２０との境界にウォッブルやＬＰＰ（Ｌａｎｄ  Ｐｒｅ−Ｐｉｔ）等のアドレス情報を利用してバッファ領域１１５をおくことによってＤＶＤ−ＲＡＭでのコネクションゾーンであるミラーの役割を行わせる。
【０００６】
前記例のように、従来には再生専用データがピット形態で記録された場合についてのみコネクションゾーンが規定されている。しかし、このように再生専用データをピットで記録し、記録可能な領域はグルーブで記録する場合、ピットとグルーブの製造上条件の相異によって高品質のグルーブ特性を得難くなる問題点がある。また、高密度、高容量のディスクを具現するために多層の記録層を作れば、再生ビームの照射時にピット領域による散乱により光パワーが減少する問題点がある。このような問題点を解決するために再生専用データをグルーブにウォッブル形態で記録する方法が提案されている。ところが、ウォッブルの仕様、すなわち、周波数、振幅、トラックピッチ、位相などが異なるグルーブを再生専用領域と記録／再生可能領域に使用する場合に、その境界部分でウォッブルの形態の相異によって発生する特性問題、例えば、ウォッブルのクロストークなどが発生しうる。したがって、再生専用データがピットではないグルーブのウォッブルで記録される場合、再生専用領域と記録／再生可能領域との間に別のコネクションゾーンについて規定する必要がある。
【発明の開示】
【発明が解決しようとする課題】
【０００７】
本発明は前記問題点を解決するために案出されたものであり、再生専用領域での再生専用データを第１ウォッブルとして記録し、記録／再生可能領域には第１ウォッブルと異なる仕様の第２ウォッブルを使用し、再生専用領域と記録／再生可能領域との間に別のコネクション領域を規定して、信頼性のある記録／再生が可能な光ディスクの領域形成方法及び光ディスクに情報を記録/再生する方法を提供することを目的とする。
【課題を解決するための手段】
【０００８】
本発明による光ディスクの領域形成方法は、前記目的を達成するために、リードイン領域、リードアウト領域、該リードイン領域とリードアウト領域との間にユーザデータを記録/再生可能なデータ領域を含む光ディスクの領域形成方法において、高周波の第１ウォッブルが形成された再生専用領域を形成する段階と、前記第１ウォッブルに比べて相対的に低周波であり、前記第１ウォッブルと異なる形態の第２ウォッブルが形成された記録/再生可能領域を形成する段階と、前記再生専用領域と記録/再生可能領域との間に配置されたコネクション領域を形成する段階とを含めて前記リードイン領域が形成されることを特徴とする。
【０００９】
また、前記コネクション領域は、周波数が前記第１ウォッブルの周波数から前記第２ウォッブルの周波数まで順次に減少するように構成されたウォッブルで形成されたことを特徴とする。
【００１０】
また、前記再生専用領域の最後の物理的アドレスの次に前記記録／再生可能領域の最初の物理的アドレスが連続的につながることを特徴とする。
【００１１】
また、前記第１ウォッブルが鋸歯状に形成されたことを特徴とする。
【００１２】
また、前記コネクション領域がミラー領域よりなっていることを特徴とする。
【００１３】
また、前記コネクション領域が前記第１ウォッブル及び第２ウォッブルと異なる形態のウォッブルで構成されたことを特徴とする。
【００１４】
また、前記再生専用領域、コネクション領域及び記録／再生可能領域のトラックが同じトラックピッチを有することを特徴とする。
【００１５】
また、前記コネクション領域が少なくとも一つ以上のトラックで構成されたことを特徴とする。
【００１６】
また、前記再生専用領域はアドレス情報を示すヘッダフィールドを有し、前記記録／再生可能領域はウォッブリングされたグルーブ全領域にアドレス情報が記録されることを特徴とする。
【００１７】
また、前記第１ウォッブルの周波数をｆＨＦ、前記第２ウォッブルの周波数をｆＬＦとする時、次の条件式、
ｆＨＦ＝ｎｆＬＦ（ここで、ｎは２以上の整数）
を満たすことを特徴とする。
【００１８】
前記目的を達成するために本発明による光ディスクに情報を記録/再生する方法は、リードイン領域、リードアウト領域、前記リードイン領域とリードアウト領域との間に使用者データを記録／再生できるデータ領域を含み、データ記録前にあらかじめ記録されるウォッブルで情報を表記した光ディスクにおいて、前記リードイン領域が、第１ウォッブルが形成された再生専用領域と、前記第１ウォッブルと相異なる形態の第２ウォッブルが形成された記録／再生可能領域と、前記再生専用領域と記録／再生可能領域との間に配置されたコネクション領域とを含むことを特徴とする。
【発明の効果】
【００１９】
本発明の光ディスクの領域形成方法により形成された光ディスクは、再生専用領域のウォッブルが記録／再生可能領域のウォッブルと異なる形態で形成され、再生専用領域と記録／再生可能領域との間にコネクション領域が備わる。したがって、相異なるウォッブルで形成された二つの領域間に発生できるクロストークなどの問題点をコネクション領域により解決することによって、ディスク全領域にわたって同じ条件で信頼性のある記録／再生を遂行できる。
【発明を実施するための最良の形態】
【００２０】
以下、添付した図面を参照して本発明の望ましい実施例について詳細に説明する。
【００２１】
本発明による光ディスクは記録／再生が可能なディスクであって、図５Ａないし図５Ｃに示されたように再生専用領域１０、記録／再生可能領域３０及び再生専用領域１０と記録／再生可能領域３０との間に配置されたコネクション領域２０を含む。再生専用領域１０に記録される再生専用データ、すなわち、ディスク関連情報、記録関連パラメータなどが使用者任意に削除されないように所定の第１ウォッブルで記録され、記録／再生可能領域３０でのデータは前記第１ウォッブルと異なる形態の第２ウォッブルとして形成される。前記記録／再生データは、例えば、ディスクテスト、ドライブテストのためのデータでありうる。
【００２２】
前記第１及び第２ウォッブルは相異なる形態を有するように色々な方法で構成できる。例えば、図５Ａに示されたように、前記第１ウォッブルを鋸歯状ウォッブル１２で形成し、第２ウォッブルを一般のウェーブ状の低周波ウォッブル３２で形成できる。そして、コネクション領域２０は第２ウォッブル３２と同じ形態の低周波ウォッブル２２で構成できる。
【００２３】
または、図５Ｂに示されたように、第１ウォッブルは高周波のウォッブル１４で形成され、前記第２ウォッブルは第１ウォッブル１４の周波数に比べて相対的に低周波の第２ウォッブル３４で形成できる。この時、コネクション領域２０でのウォッブル２４は高周波の第１ウォッブル１４のように高周波で形成できる。これと異なって、再生専用領域１０の第１ウォッブルが高周波で形成され、記録／再生可能領域３０の第２ウォッブルが低周波で形成され、コネクション領域２０でのウォッブルが記録／再生可能領域３０と同一に低周波で形成されることもある。
【００２４】
図５Ｃのように再生専用領域１０の第１ウォッブル１４が高周波で形成され、記録／再生可能領域３０の第２ウォッブル３４が低周波で形成され、コネクション領域２０ではミラー領域で形成されうる。
【００２５】
また他の方法として、図６に示されたように第１ウォッブル１４が高周波のウォッブルで形成され、第２ウォッブル３４が低周波のウォッブルで形成され、コネクション領域２０が第１ウォッブル１４の周波数から第２ウォッブル３４の周波数まで順次に減少するように構成されたウォッブル２６で形成される。すると、再生専用領域１０の高周波ウォッブル１４の周波数と記録／再生可能領域３０の低周波ウォッブル３４の周波数との間に遷移時間を確保できて記録／再生信号の信頼性が向上する。また、高周波ウォッブルから低周波ウォッブルへ順次に移動させることによってＰＬＬ（Ｐｈａｓｅ  Ｌｏｃｋｅｄ  Ｌｏｏｐ）の周波数安定性を高め、低周波に含まれた第２高周波歪曲成分の影響を減らしうる。
【００２６】
特に、再生専用領域１０の第１ウォッブル１４を高周波とし、記録／再生可能領域３０の第２ウォッブル３２、３４を低周波とする場合、高周波ウォッブルの周波数を低周波ウォッブル周波数の２以上の整数倍とすることが望ましい。すなわち、高周波ウォッブルの周波数をｆＨＦ、低周波ウォッブルの周波数をｆＬＦとする時、次の条件式（１）を満たす。
【００２７】
ｆＨＦ＝ｎｆＬＦ（ｎは２以上の整数）    （１）
前記のように高周波ウォッブルの周波数を低周波ウォッブルの周波数の整数倍とすることによって、再生専用領域１０と記録／再生可能領域におけるウォッブルの位相を一致させうる。前述した実施例では第１ウォッブル１２、１４及び第２ウォッブル３２、３４が周波数を相異なるようにして形成された例を説明したが、この以外に、ウォッブルの振幅または位相などを相異なるようにして構成されることもある。
【００２８】
一方、ＤＶＤ系列のディスクを例とすれば、図７に示されたにディスクの内側領域に位置して再生専用データを含むリードイン領域と、使用者データを記録できる使用者データ領域及びディスクの外側領域に位置するリードアウト領域とに区分されている。このようなディスクに本発明を適用すれば、前記リードイン領域に、再生専用のデータが第１ウォッブル１２、１４形態で記録された再生専用領域１０と、第１ウォッブル１２、１４と異なる形態の第２ウォッブル３２、３４が形成された記録／再生可能領域３０とが備わる。そして、再生専用領域１０と記録／再生可能領域３０との間にコネクション領域２０が設けられる。
【００２９】
ここで、前記第１ウォッブルを鋸歯状ウォッブルで形成し、データ１ビットを示すウォッブル数とトラックピッチとの関係を計算した結果を図８に示した。この時に使われた再生専用領域の半径は２２．３ｍｍ−２３．１ｍｍまでにした。トラックピッチは０．３０−０．３４μｍとし、ウォッブル数は１０〜４０つまで５つ単位で計算した。また、再生専用領域１０、コネクション領域２０及び記録／再生可能領域３０に形成されたトラックの各々は同じトラックピッチを有するように形成される。一例として、トラックピッチ０．３２μｍでビット当りウォッブル数を３５とする場合、再生専用領域１０のウォッブル周波数は７.５ＭＨｚに該当する。これは通常のＤＶＤ系列ディスクで使用する周波数が１ＭＨｚ以下であることに比べて非常に高い周波数である。このようにトラックピッチとビット当りウォッブル数を調節してウォッブル周波数を多様に設定できる。
【００３０】
一方、アドレスの連続性のために再生専用領域１０の最後の物理的アドレスの次に記録／再生可能領域３０の最初の物理的アドレスが連続的につながることが望ましい。例えば、図９に示されたように再生専用領域１０の最後の物理的アドレスがｍである時、記録／再生可能領域３０の最初の物理的アドレスが（ｍ＋１）につながる。
【００３１】
一般のディスクの記録／再生時、ウォッブルから発生する信号を利用して記録時に基準クロックとして利用している。しかし、本発明のように再生専用データの第１ウォッブル１２、１４を高周波のウォッブルとして形成し、記録／再生可能領域の第２ウォッブル３２、３４を第１ウォッブル１２、１４と異なるウォッブルで形成する場合、第１ウォッブル１４のデータ信号を得るためのクロックが別途に必要である。すなわち、再生専用領域１０の基準クロックは記録／再生可能領域３０のウォッブルクロックと異なるクロックであるために、再生専用データのウォッブルを読出すためにはドライブシステムで発生する基準クロックを使用し、記録／再生可能領域３０の低周波領域ではウォッブル自体から基準クロックを得られる。
【００３２】
また、ディスクの位置情報を示すアドレスをグルーブのウォッブルで示した場合、記録／再生可能領域３０ではアドレスを基本最小記録単位全体に反復記録し、データはグルーブに決まった変調方式により記録できる。一方、再生専用領域１０で高周波ウォッブル１４として再生専用データを示す場合には、図１０に示されたように、一部はアドレス情報が記録されたヘッダフィールドで構成し、残りはグルーブの高周波ウォッブルによるデータ情報が記録されるように再生専用データフィールドで構成する。前記ヘッダフィールドには、セクターのような基本最小記録単位の物理的アドレスＰＩＤ領域と、再生回路のＰＬＬ（Ｐｈａｓｅ  Ｌｏｃｋｅｄ  Ｌｏｏｐ）を安定的に動作させるための特定パターンの情報を記録したＶＦＯ（Ｖａｒｉａｂｌｅ  Ｆｒｅｑｕｅｎｃｙ  Ｏｓｃｉｌｌａｔｏｒ）領域とが設けられる。また、前記ヘッダフィールドはＥＣＣ（Ｅｒｒｏｒ  Ｃｏｒｒｅｃｔｉｏｎ  Ｃｏｄｅ）記録単位の先頭、後尾またはＥＣＣ記録単位間の境界に位置できる。
【００３３】
一方、前記ヘッダフィールドに記録されるアドレス情報は、記録されたデータを読出す前に必ず読出さねばならない非常に重要な情報であって、記録／再生可能領域のウォッブルより高い周波数で構成される場合にはアドレス情報を示すウォッブルの再生信号がデータ領域の再生信号より小さくなる。アドレスデータの再生信号が小さければ、アドレス検出能力が落ちて、結果的にデータの記録／再生に対する全体的な信頼性が落ちる。これを補完するために、図１１のようにアドレス情報が入っているヘッダフィールドは、記録／再生可能領域３０で使われる第２ウォッブル３２、３４と同じ低周波を使用し、再生専用データフィールドは高周波のウォッブルを使用する。これにより、アドレス情報の検出能力がディスク全面積にわたって同一になってディスクの記録／再生能力が改善される。
【００３４】
さらに、本発明の他の実施例による光ディスクは、図１２に示されたように高周波のウォッブルで形成された再生専用領域４０の終端部に、高周波ウォッブル領域が終わってからコネクション領域５０、記録／再生可能領域５５がつながるという情報をドライブに知らせるためのエンドマーキング領域４５をさらに具備できる。エンドマーキング領域４５は再生専用領域４０に形成されたウォッブルと異なる形態を有するウォッブルで形成される。例えば、エンドマーキング領域４５は、再生専用領域４０のウォッブルと周波数、位相、周期、振幅のうちいずれか一つ以上が異なるウォッブルで構成されうる。
【００３５】
図１３は、本発明による光ディスクを記録／再生するためのシステムを概略的に示した図であって、記録／再生信号処理部１１０と、サーボ調整部１１５と、ディスク１５３に記録されたデータを再生するための光ピックアップ部１３０とを含む。光ピックアップ部１３０はレーザービームを照射する光源１４０、光源１４０からのビームを平行にするコリメーティングレンズ１４２、光路を変換させるためのビームスプリッタ１４４、ビームスプリッタ１４４を経由した光をディスク１５３に集束させるための対物レンズ１４６を具備して構成される。記録／再生信号処理部１１０は、ディスク１５３から反射される光を受光する光検出器１４８、光検出器１４８による電気信号を処理する演算回路部１５０、演算回路部１５０からの信号のうちチャンネル１  Ｃｈ１を通じてＲＦ信号を検出する使用者データ検出部１１３、チャンネル２  Ｃｈ２を通じてトラッキングエラー信号及びウォッブル信号を検出するウォッブル信号検出部１１４を含む。
【００３６】
前記のようなディスク記録／再生システムによって本発明による光ディスクを記録／再生するにおいて、コネクション領域２０及びエンドマーキング領域４５によってさらに信頼性のある情報の記録／再生を遂行できる。
【図面の簡単な説明】
【００３７】
【図１】従来の光ディスクでコネクションゾーンが形成された例を示す図である。
【図２】従来の光ディスクでコネクションゾーンが形成された例を示す図である。
【図３】図２の例をＤＶＤ−ＲＡＭに適用した場合を示す図である。
【図４】従来の光ディスクでコネクションゾーンが形成された他の例を示す図である。
【図５Ａ】本発明による光ディスクの色々な実施例を示す図である。
【図５Ｂ】本発明による光ディスクの色々な実施例を示す図である。
【図５Ｃ】本発明による光ディスクの色々な実施例を示す図である。
【図６】本発明による光ディスクの色々な実施例を示す図である。
【図７】本発明の一実施例が適用された具体的な例を示す図である。
【図８】あらかじめ記録されたウォッブルデータの１ビット当り必要なウォッブル数とウォッブル周波数、トラックピッチ間の関係を示すグラフである。
【図９】本発明の実施例による光ディスクで再生専用領域の物理的アドレスと記録／再生可能領域の物理的アドレスとの関係を示す図である。
【図１０】本発明による光ディスクで再生専用領域でのヘッダフィールドを示す図である。
【図１１】本発明による光ディスクで再生専用領域でのヘッダフィールドを示す図である。
【図１２】本発明の他の実施例による光ディスクを示す図である。
【図１３】本発明による光ディスクの記録／再生システムを概略的に示す図である。
【符号の説明】
【００３８】
１０  再生専用領域
１２  鋸歯状ウォッブル
２０  コネクション領域
２２、３２  低周波ウォッブル
３０  記録／再生可能領域
【図１】
2008047287.tif 000003
【図２】
2008047287.tif 000004
【図３】
2008047287.tif 000005
【図４】
2008047287.tif 000006
【図５Ａ】
2008047287.tif 000007
【図５Ｂ】
2008047287.tif 000008
【図５Ｃ】
2008047287.tif 000009
【図６】
2008047287.tif 000010
【図７】
2008047287.tif 000011
【図８】
2008047287.tif 000012
【図９】
2008047287.tif 000013
【図１０】
2008047287.tif 000014
【図１１】
2008047287.tif 000015
【図１２】
2008047287.tif 000016
【図１３】
2008047287.tif 000017